(57)【要約】  【課題】構造を複雑にすることなく、光透過率の高いディスクを検出することができる、光学検知式のディスク挿入検知機構を備えたディスク装置を提供する。  【解決手段】ディスク２０が挿入され、ディスク２０が搬送ローラ６の位置まで到達すると、ディスク２０により搬送ローラ６が下方に押圧され、ガイドレールユニット１が回転軸７を中心にして矢印方向に回転する。これにより、発光素子２からの光の軸がずれ、発光素子２からの光がスリット板１０により遮られるので、これを受光素子３が検知し、ローディングモータの回転が開始する。このローディングモータの回転により搬送ローラ６が回転し、ディスク２０が装置の内部に移動させられる。  【選択図】図２
2005216390.tif 000002
【特許請求の範囲】
【請求項１】
ディスクの挿入を検出するディスク挿入検出手段を備えたディスク装置において、
上記ディスク挿入検出手段が発光手段と受光手段よりなり、
上記発光手段が移動可能な部品或いはユニット上に固定されていることを特徴とするディスク装置。
【請求項２】
ディスクの挿入を検出するディスク挿入検出手段を備えたディスク装置において、
上記ディスク挿入検出手段が発光手段と受光手段よりなり、
上記受光手段が移動可能な部品或いはユニット上に固定されていることを特徴とするディスク装置。
【請求項３】
ディスクの挿入によって上記移動可能な部品或いはユニットが移動し、上記発光手段から上記受光手段への光軸がずれることにより、上記受光手段への入射光量が変化することを特徴とする、請求項１または請求項２に記載のディスク装置。
【請求項４】
ディスクが挿入されていない状態で上記受光手段への入射光量が最大となるように光軸が調整されていることを特徴とする、請求項３に記載のディスク装置。
【請求項５】
ディスクが挿入されていない状態で上記受光手段への入射光量が最小となるように光軸が調整されていることを特徴とする、請求項３に記載のディスク装置。
【請求項６】
上記移動可能な部品或いはユニットが回転移動することによりディスクの検出を行うことを特徴とする、請求項１〜請求項５のいずれかに記載のディスク装置。
【請求項７】
上記移動可能な部品或いはユニットがディスクの挿入、排出を駆動するローラを有することを特徴とする、請求項１〜請求項６のいずれかに記載のディスク装置。
【請求項８】
上記受光手段が遮光スリットを有することを特徴とする、請求項１〜請求項７のいずれかに記載のディスク装置。
【発明の詳細な説明】
【技術分野】
【０００１】
本発明は、ディスク装置に係り、特に、ディスクを挿入する際にディスクを確実に検知することができるディスク検知機能を備えたディスク装置に関する。
【背景技術】
【０００２】
ディスク装置の一例としての、車載用ディスク再生装置は、ＣＤプレーヤ等のディスク再生装置を備え、その再生装置で再生した音楽を音声再生系等により鑑賞することができるのみならず、例えば数十Ｇ（ギガ）バイトといった大容量のハードディスク（ＨＤ）及びそれを駆動するハードディスクドライバ（ＨＤＤ）を備え、ＣＤ等の記録媒体を多数個分ＨＤにダビングしておき、そのＨＤから任意の音楽プログラムを選んで音楽再生系等により再生して鑑賞できるようにしたものもある。
【０００３】
図６は車載用ディスク再生装置の外観図であり、図に示すように、装置本体１１の前面に操作・表示パネル１２が設けられており、この操作・表示パネル１２の中央部にＬＣＤ表示部１３が配置され、その周囲に複数の操作キー１４が設けられている。
この操作キー１４またはＬＣＤ表示部１３のタッチパネルから操作・表示パネル１２の開口を指示すると、モータ（図示せず）が回転し、図示しない小歯車、伝達歯車、ギア等により装置本体下部のラック１５が前方向に移動し、これにより、操作・表示パネル１２の底部が筐体の外部方向に押し出され、内部パネル１６を開放する。この内部パネル１６には、ディスクを挿入するディスク用スロット１７、半導体メモリを挿入する半導体メモリ用スロット１８、ハードディスクドライバ１９等が設けられている。
このようなスロットイン式のディスク装置は、ユーザがディスクを装置のディスク用スロットに挿入すると、装置がディスク挿入を検知し、ゴムローラなどの搬送ローラがディスクを装置内部に収納する構造となっているのが一般的である。
【０００４】
従来のスロットイン方式の光ディスク装置のディスク挿入検知方法としては、主に機構検知式と光学検知式の２種類の方式がある。
機構検知式のディスク検出機構では、ディスクを装置内に押し込むと、ディスクが機構式のレバーを押し広げることによりディスクの挿入が検知される。また、光学検知式のディスク検出機構では、ディスクを装置内に押し込むと、上下方向に設置された受光部と発光部よりなる光学的透過式センサの光軸をディスクが遮ることによってディスクの挿入が検知される。この光学検知式のディスク検出機構は機構検知式のディスク検出機構よりも部品点数が少なく、可動機構がないことにより、コスト、品質において有利である。（例えば、特許文献１参照。）。
【特許文献１】特開平５−１５９４３０号公報
【０００５】
図８は従来の光学検知式のディスク挿入検知機構を示す図であり、このディスク挿入検知機構にディスク２０が挿入されると、挿入されたディスク２０により発光素子２１から発せられた光が遮られるので、これを受光素子２２が検知し、制御部２３にディスク検知信号を出力する。これにより、制御部２３がモータ駆動部２４に駆動信号を出力し、搬送ローラ２５を回転させる。この状態で挿入されたディスクが搬送ローラ２５の位置に達すると、ディスク２０が搬送ローラ２５の回転により吸い込まれ、再生部の方向へ搬送される。そして、ディスク２０が所定の位置に到達すると、搬送ローラ２５の回転が停止し、これと同時に、ディスクがディスク回転部に固定される。
【発明の開示】
【発明が解決しようとする課題】
【０００６】
従来の光学検知式のディスク挿入検知機構は上記のように構成されているが、最近は装飾性または製品差別化などの目的で光透過率の高いディスク（例えば、シースルーディスクやディスクの内周部のみにアルミ蒸着がなされている変形マキシシングルディスク等）が発売されている。このような光透過率の高いディスクを光学検知式のディスク挿入検知機構に挿入した場合、発光部からの光がディスクを通過し、受光電圧の変化を検出できない場合があり、ディスクを装置内に引き込むことができないという問題がある。このため、上記の機構式のディスク挿入検知機構も光学検知式のディスク挿入検知機構とともに広く普及している。
【０００７】
一方、光透過率の高いディスクを検出するため、光学検知式のディスク挿入検知機構に別の検知センサを実装することも可能であるが、このように別の検知センサを実装すると、構造が複雑化し、コストアップを招くという問題があった。
【０００８】
本発明は、上記の問題に鑑みてなされたもので、構造を複雑にすることなく、光透過率の高いディスクを検出することができる、光学検知式のディスク挿入検知機構を備えたディスク装置を提供することを目的とする。
【課題を解決するための手段】
【０００９】
上述の目的を達成するため、本発明に係るディスク装置（１）は、
ディスクの挿入を検出するディスク挿入検出手段を備えたディスク装置において、
上記ディスク挿入検出手段が発光手段と受光手段よりなり、
上記発光手段が移動可能な部品或いはユニット上に固定されていることを特徴とする。
【００１０】
また、本発明に係るディスク装置（２）は、
ディスクの挿入を検出するディスク挿入検出手段を備えたディスク装置において、
上記ディスク挿入検出手段が発光手段と受光手段よりなり、
上記受光手段が移動可能な部品或いはユニット上に固定されていることを特徴とする。
【００１１】
さらに、本発明に係るディスク装置（３）は、ディスク装置（１）または（２）において、
ディスクの挿入によって上記移動可能な部品或いはユニットが移動し、発光手段から受光手段への光軸がずれることにより、受光手段への入射光量が変化することを特徴とする。
【００１２】
また、本発明に係るディスク装置（４）は、ディスク装置（３）において、
ディスクが挿入されていない状態で受光手段への入射光量が最大となるように光軸調整されていることを特徴とする。
【００１３】
また、本発明に係るディスク装置（５）は、  ディスク装置（３）において、
ディスクが挿入されていない状態で受光手段への入射光量が最小となるように光軸調整されていることを特徴とする。
【００１４】
さらに、本発明に係るディスク装置（６）は、ディスク装置（１）〜（５）のいずれかにおいて、
上記移動可能な部品或いはユニットが回転移動することによりディスクの検出を行うことを特徴とする。
【００１５】
また、本発明に係るディスク装置（７）は、ディスク装置（１）〜（６）のいずれかにおいて、
上記移動可能な部品或いはユニットがディスクの挿入、排出を駆動するローラを有することを特徴とする。
【００１６】
さらに、本発明に係るディスク装置（８）は、ディスク装置（１）〜（７）のいずれかにおいて、
上記受光手段が遮光スリットを有することを特徴とする。
【発明の効果】
【００１７】
本発明に係るディスク装置（１）〜（６）によれば、発光手段または受光手段を回転移動等の移動が可能な部品またはユニットに設けているので、ディスクの挿入により上記部品またはユニットが移動して相対する光軸のずれが生じ、受光部への入力光の減少または増加により、ディスクが挿入されたことを検知することができる。このように、ディスクによる光の遮断ではなく、光軸のずれによりディスクの挿入を検知することができるので、構造部品を増やすことなく、光透過率の高いディスクを挿入した場合においても、搬送ローラの駆動を開始して装置内にディスクを引き込むことができる。
【００１８】
また、本発明に係るディスク装置（７）によれば、ディスクの搬送ローラ機構を利用してディスク検知機構を構成することができ、ディスク検知機構の構成を簡単にすることができる。
【００１９】
さらに、本発明に係るディスク装置（８）によれば、受光手段が遮光スリットを有するので、光軸のずれを確実に検知することができ、検出精度を向上させることができる。
【実施例１】
【００２０】
以下、本発明のディスク装置のディスク検知機構の実施例を図１、図２により説明する。図に示すように、このディスク挿入検知機構はガイドレールユニット１と、発光素子２及び受光素子３よりなり、ガイドレールユニット１の先端にはローラレバー４が設けられているとともに、ガイドレールユニット１の後部に駆動軸５に固定された搬送ローラ６が取り付けられている。また、このガイドレールユニット１は回転軸７を中心にして回転可能となっており、発光素子２はガイドレールユニット１の下部に設けられた素子保持具８に固定され、発光素子２から発せられた光はガイドレールユニット１に設けられた穴部９を通過して受光素子３に到達するように光軸が調整されている。また、受光素子３の前面にはスリット板１０が設けられ、外乱光等が受光素子３に入射しないようにしている。
【００２１】
このディスク挿入検知機構にディスク２０が挿入され、ディスク２０が搬送ローラ６の位置まで到達すると、ディスク２０により搬送ローラ６が下方に押圧され、ガイドレールユニット１が回転軸７を中心にして矢印方向に回転する。これにより、図３に示すように、発光素子２からの光の軸がずれ、発光素子２からの光がスリット板１０により遮られるので、これを受光素子３が検知し、ローディングモータ（図示せず）が回転を開始する。このローディングモータの回転により、駆動軸５を介して搬送ローラ６が回転するので、ディスク２０が装置の内部に移動させられる。そして、ディスク２０が挿入完了位置まで達すると、駆動軸５が押し下げられ、ガイドレールユニット１もさらに矢印方向に回転し、ガイドレールユニット１のローラレバー４の先端によりディスク挿入部が閉止され、ディスクの排出が阻止される。
【００２２】
以上のように、ディスクの挿入によって光軸が移動することにより、ディスクの挿入が検知されるので、光透過率の高いディスクが挿入された場合にも、確実にディスクの挿入を検知することができる。なお、通常の光を遮断するディスクが挿入された場合には、ディスクが受光素子の位置に到達したときに、ディスクの挿入が検知され、搬送ローラの回転が開始される。
【実施例２】
【００２３】
上記の実施例では、ディスクが挿入されていない状態で、受光素子への入射光量が最大となるように光軸が調整されているが、ディスクが挿入された状態で入射光量が最大となるように光軸を調整することも可能である。
図４はこのように、ディスクが挿入されていない状態では、受光素子への入射光量が最小または０で、ディスクが挿入された状態で入射光量が最大となるように光軸調整したディスク挿入検知機構の実施例を示す図である。
【００２４】
図４に示すように、ディスク２０が挿入されていない状態では、発光素子２からの光はスリット板１０により遮られて、受光素子３の受光量は０であり、ディスク２０が挿入され、ディスク２０が搬送ローラ６の位置まで到達すると、ディスク２０により搬送ローラ６が下方に押圧され、ガイドレールユニット１が回転軸７を中心にして回転する。これにより、図５に示すように、発光素子２の光軸がずれ、発光素子２からの光が受光素子３に入射するので、これを受光素子３で検知することにより、ディスク２０の挿入を検知することができる。
【００２５】
なお、上記の実施例では、ガイドレールユニットが回転することにより光軸のずれを発生させたが、ディスクの挿入によりガイドレールユニットがスライドするようにして光軸のずれを発生させるようにすることも可能である。
また、上記の実施例では、発光素子をガイドレールユニットに固定したが、受光素子をガイドレールユニットに固定しても、同様の効果を得ることができる。
【００２６】
さらに、上記の実施例では、ガイドレールユニットに搬送ローラを設けたが、搬送ローラを別個に設け、ガイドレールユニットには搬送ローラの代わりにディスク検出用の軸を設けてもよい。
また、本発明のディスク装置は、車載用ディスク装置に限らず、種々のディスク装置に適用することができる。
【図面の簡単な説明】
【００２７】
【図１】本発明のディスク装置のディスク挿入検知機構の実施例の斜視図である。
【図２】図１のディスク挿入検知機構の側面図である。
【図３】図１のディスク挿入検知機構の動作状態を示す図である。
【図４】本発明のディスク装置のディスク挿入検知機構の他の実施例を示す図である。
【図５】図４のディスク挿入検知機構の動作状態を示す図である。
【図６】車載用ディスク再生装置の外観を示す図である。
【図７】図６の車載用ディスク再生装置の操作・表示パネルを開いた状態を示す図である。
【図８】従来のディスク挿入検知機構を示す図である。
【符号の説明】
【００２８】
１  ガイドレールユニット
２  発光素子
３  受光素子
４  ローラレバー
５  駆動軸
６  搬送ローラ
７  回転軸
８  素子保持具
９  穴部
１０  スリット板
２０  ディスク
【図１】
2005216390.tif 000003
【図２】
2005216390.tif 000004
【図３】
2005216390.tif 000005
【図４】
2005216390.tif 000006
【図５】
2005216390.tif 000007
【図６】
2005216390.tif 000008
【図７】
2005216390.tif 000009
【図８】
2005216390.tif 000010